(57)【要約】【課題】  キーボード等の操作に不慣れな初心者でも、パソコン、携帯端末、携帯電話等の情報機器を簡単に使用し、これらが備えるアプリケーションを簡単に利用できるようにする。【解決手段】  文字、情報、データを利用者から受け取る入力項目指定部２と、文字、情報、データを符号化してパターンに割り当てる入力項目作成部３と、利用者からパターンの配置の属性を受け取る入力項目配置指定部４と、属性に基づいてパターンの配置を作成する入力項目配置部５と、入力装置を作成する入力装置作成部６と、入力装置から利用者が指定したパターンを受け取る入力項目読み込み受取部７と、パターンの符号化された文字、情報、データを判断し特定する入力項目読み込み部８と、特定された文字、情報、データを通常の文字、情報、データに変換する入力項目変換部９とから入力データ作成装置を構成する。【選択図】  図１
2005063014.tif 000002
【特許請求の範囲】
【請求項１】
利用者の要求により入力データ作成装置が入力装置を作成し、前記入力装置において利用者がパターンを指定し、指定されたパターンを入力データ作成装置が入力データに変換する入力データ作成方法であって、
少なくとも文字、情報、または、データのいずれかを利用者から受け取る第１ステップと、
前記文字、情報、または、データのいずれかを符号化してパターンに割り当てる第２ステップと、
利用者からパターンの配置の属性の指定を受け取る第３ステップと、
前記属性に基づいてパターンの配置を作成する第４ステップと、
前記パターンを配置した入力装置を作成する第５ステップとにより入力装置を作成し、
前記入力装置において利用者が指定したパターンを受け取る第６ステップと、
指定されたパターンの符号化された文字、情報、または、データのいずれかを判断して特定する第７ステップと、
前記特定された文字、情報、または、データのいずれかを通常の文字、情報、または、データのいずれかに変換する第８ステップとにより入力データを作成することを特徴とする入力データ作成方法。
【請求項２】
利用者の要求によりパターン作成装置が入力装置を作成し、前記入力装置において利用者がパターンを指定し、指定されたパターンをパターン受取変換装置が入力データに変換する入力データ作成方法であって、
少なくとも文字、情報、または、データのいずれかを利用者から受け取る第１ステップと、
前記文字、情報、または、データのいずれかを符号化してパターンに割り当てる第２ステップと、
利用者からパターンの配置の属性の指定を受け取る第３ステップと、
前記属性に基づいてパターンの配置を作成する第４ステップと、
前記パターンを配置した入力装置を作成する第５ステップとにより入力装置を作成し、
前記入力装置において利用者が指定したパターンを受け取る第６ステップと、
指定されたパターンの符号化された文字、情報、または、データのいずれかを判断し特定する第７ステップと、
前記特定された文字、情報、または、データのいずれかを通常の文字、情報、または、データのいずれかに変換する第８ステップとにより入力データを作成することを特徴とする入力データ作成方法。
【請求項３】
入力装置において利用者がパターンを指定し、指定されたパターンをパターン受取変換装置が入力データに変換する入力データ作成方法であって、
前記入力装置において利用者が指定したパターンを受け取る第１ステップと、
指定されたパターンの符号化された文字、情報、または、データのいずれかを判断し特定する第２ステップと、
前記特定された文字、情報、または、データのいずれかを通常の文字、情報、または、データのいずれかに変換する第３ステップとにより入力データを作成することを特徴とする入力データ作成方法。
【請求項４】
利用者の要求により入力装置を作成し、前記入力装置において利用者が指定したパターンを入力データに変換する入力データ作成装置であって、
少なくとも文字、情報、または、データのいずれかを利用者から受け取る入力項目指定部と、
前記文字、情報、または、データのいずれかを符号化してパターンに割り当てる入力項目作成部と、
利用者からパターンの配置の属性の指定を受け取る入力項目配置指定部と、
前記属性に基づいてパターンの配置を作成する入力項目配置部と、
前記パターンを配置した入力装置を作成する入力装置作成部と、
前記入力装置において利用者が指定したパターンを受け取る入力項目読み込み受取部と、
指定されたパターンの符号化された文字、情報、または、データのいずれかを判断し特定する入力項目読み込み部と、
前記特定された文字、情報、または、データのいずれかを通常の文字、情報、または、データのいずれかに変換する入力項目変換部とからなることを特徴とする入力データ作成装置。
【請求項５】
入力装置において利用者が指定したパターンを入力データに変換するパターン受取変換装置であって、
入力装置において利用者が指定したパターンを受け取る入力項目読み込み受取部と、
指定されたパターンの符号化された文字、情報、または、データのいずれかを判断し特定する入力項目読み込み部と、
前記特定された文字、情報、または、データのいずれかを通常の文字、情報、または、データのいずれかに変換する入力項目変換部とからなることを特徴とするパターン受取変換装置。
【請求項６】
前記請求項１〜３いずれかに記載の入力データ作成方法により入力データを作成することを特徴とする情報機器。
【請求項７】
前記請求項４または５に記載の入力データ作成装置、または、パターン受取変換装置を内蔵することを特徴とする情報機器。
【請求項８】
前記請求項１〜７いずれかに記載の入力データ作成方法、入力データ作成装置、情報機器、または、パターン受取変換装置をコンピュータで実行可能に記載したプログラムを記録したことを特徴とするプログラムを記録した記録媒体。
【発明の詳細な説明】
【技術分野】
【０００１】
本発明は、パソコン、携帯端末、携帯電話等の情報機器において、キーボード等をほとんど使うことなく、任意の文字・情報・データ等を、任意に配置した入力装置とその読み取り装置を用いて入力する方法、その装置、およびプログラムを記録した記録媒体に関するものである。
【背景技術】
【０００２】
近年、インターネットを利用できる社会的インフラが整い、また、一般の生活にも浸透してきている。このため、企業や家庭において、パソコン、携帯端末、携帯電話等の情報機器が広く利用され、使用する機会が多くなっている。これに伴い、特定の人だけではなく、一般に広く、Ｗｅｂや電子メール等の各種アプリケーションが利用されるようになり、これらのサービスの利用者が増大している。
【０００３】
これらの情報機器を使用し、これらのアプリケーションを利用する際、文字・情報・データを入力したり、所定の指示等の入力、所望の処理を行うには、キーボードを用いるのが最も一般的であるが、最近では、携帯電話のボタンでの、携帯電話への親指人力による文字・情報・データ入力も一部の利用者には頻繁に使われている。
【０００４】
一方、バーコードを利用して各種指示を入力するシステムとして、バーコードを読み取るバーコードリーダと、所定の実行プログラムに対応したコードを記憶する記憶手段と、記憶手段に記憶されたコードをバーコードとして表示する表示手段と、バーコードリーダにより表示手段に表示されたバーコードが読み取られた際、この読み取りにより得られたコードに対応した実行プログラムを実行する制御手段とを備えたバーコードによる入力システムが開示されている(例えば、特許文献１参照。)。また、キーボード、マウス等の入力機器を用いた複雑な入力操作を、命令とバーコードとを対応させて表示したバーコード表やバーコードマニュアルからバーコードリーダを用いたバーコードによる読み取りを行うパーソナルコンピュータの入力システムが開示されている(例えば、特許文献２参照。)。
【特許文献１】特開２００２−４１１９２号公報
【特許文献２】特開２００１−３０６２２３号公報
【発明の開示】
【発明が解決しようとする課題】
【０００５】
（課題１）キーボード等の操作
しかしながら、パソコン、携帯端末、携帯電話等の情報機器使用時に扱うキーボードはまだ万人が使いこなしているわけではなく、キーボード操作に不慣れな初心者にとって、情報機器を使用し、これらのアプリケーションを利用する際に、多くの文字・情報・データをキーボードで入力することは時間と労力の大きな負担であり、情報機器やそこで動作するアプリケーションの利用を妨げる一因となっているという問題があった。
【０００６】
また、情報機器の従来の入力装置であるキーボードでの文字・情報・データの入力には、多大な労力を要するだけではなく、入力ミスが生じやすいという問題があった。
【０００７】
さらに、親指入力は、キーボード入力以上に、初心者と習熟者とで、入力に要する時間と労力の差がはっきり表れるという問題があった。
【０００８】
（課題２）入力文字・情報・データの固定
そこで、各種文字・情報・データをキーボードを用いずに入力することができる入力手段を提供することが考えられる。例えば、バーコード等のパターンとして、文字・情報・データを符号化、印刷しておき、これをバーコードリーダにより読み取ることによって文字・情報・データ入力を行うことが考えられる。
【０００９】
これにより、操作の熟練度合いに関係なく容易に間違いなく文字・情報・データを入力することができる。
【００１０】
このような考えの技術として、前記特許文献１に記載の発明がある。これは、特定の情報をバーコード化し、バーコード入力することにより、入力の容易化、誤入力の防止を実現するものである。同様の考えの技術しては、他にも、前記特許文献２に記載の発明がある。しかしながら、バーコード等のパターンを用いて、文字・情報・データを入力する場合、大多数の人にとって、入力する文字・情報・データはあらかじめ決められまたは用意され、パターン化されているものを利用することになり、特定の文字・情報・データを入力することにしか使用できなかった。
【００１１】
そのため、決められた文字・情報・データを早く、正確に入力するということには適していたが、例えば、情報機器でよく利用されるアプリケーションの１つである電子メールで、電子メールの本文のテキストを入力するというような、不定形で任意の文字・情報・データを入力するという使い方はできなかった。
【００１２】
（課題３）パターン配置の固定
また、バーコード等のパターンを用いて、文字・情報・データを入力する場合、入力する文字・情報・データはあらかじめ印刷されているものを利用するため、印刷物等上でのパターンの配置は固定されてしまう。前記特許文献２に記載の発明においても、バーコード化した情報は特定の定められた配置としている。
【００１３】
つまり、キーボードのようなハード装置ではないにもかかわらず、大多数の人にとって、バーコード等のパターンを用いて、文字・情報・データを入力する場合の印刷物等上での位置、間隔、大きさ等のパターンの配置を、個々人に合ったカスタマイズということがまったく考慮されていなかった。
【００１４】
（課題４）入力のための装置の非携帯性
さらに、パソコン、携帯端末、携帯電話等の情報機器への文字・情報・データを入力する入力のための手段（装置）は、そのパソコン、携帯端末、携帯電話等とセット（一対または１対１）であり、一つの入力のための手段（装置）を複数のパソコン、携帯端末、携帯電話等の情報機器に適用したり、入力のための手段（装置）のみを携帯することができなかった。前記特許文献２に記載の発明においても、バーコード化されたパターンをシートとし、そのシートは、特定のパソコンに備え付けるような形式をとっている。
【００１５】
つまり、自分でカスタマイズした入力のための手段（装置）を、必要に応じて複数の情報機器に適用したり、携帯することができなかった。
【００１６】
または、自分でカスタマイズした複数の入力のための手段（装置）を、必要に応じて、使い分けることもできなかった。
【００１７】
本発明はかかる事情に鑑みなされたもので、その目的は、前記課題を解決した入力データ作成方法、入力データ作成装置、パターン受取変換装置、情報機器、および、プログラムを記録した記録媒体を提供することにある。
【課題を解決するための手段】
【００１８】
前記課題を解決するために、請求項１に記載の入力データ作成方法は、利用者の要求により入力データ作成装置が入力装置を作成し、前記入力装置において利用者がパターンを指定し、指定されたパターンを入力データ作成装置が入力データに変換する入力データ作成方法であって、少なくとも文字、情報、または、データのいずれかを利用者から受け取る第１ステップと、前記文字、情報、または、データのいずれかを符号化してパターンに割り当てる第２ステップと、利用者からパターンの配置の属性の指定を受け取る第３ステップと、前記属性に基づいてパターンの配置を作成する第４ステップと、前記パターンを配置した入力装置を作成する第５ステップとにより入力装置を作成し、前記入力装置において利用者が指定したパターンを受け取る第６ステップと、指定されたパターンの符号化された文字、情報、または、データのいずれかを判断して特定する第７ステップと、前記特定された文字、情報、または、データのいずれかを通常の文字、情報、または、データのいずれかに変換する第８ステップとにより入力データを作成することを特徴とする。
【００１９】
請求項２記載の入力データ作成方法は、利用者の要求によりパターン作成装置が入力装置を作成し、前記入力装置において利用者がパターンを指定し、指定されたパターンをパターン受取変換装置が入力データに変換する入力データ作成方法であって、少なくとも文字、情報、または、データのいずれかを利用者から受け取る第１ステップと、前記文字、情報、または、データのいずれかを符号化してパターンに割り当てる第２ステップと、利用者からパターンの配置の属性の指定を受け取る第３ステップと、前記属性に基づいてパターンの配置を作成する第４ステップと、前記パターンを配置した入力装置を作成する第５ステップとにより入力装置を作成し、前記入力装置において利用者が指定したパターンを受け取る第６ステップと、指定されたパターンの符号化された文字、情報、または、データのいずれかを判断し特定する第７ステップと、前記特定された文字、情報、または、データのいずれかを通常の文字、情報、または、データのいずれかに変換する第８ステップとにより入力データを作成することを特徴とする。
【００２０】
請求項３に記載の入力データ作成方法は、入力装置において利用者がパターンを指定し、指定されたパターンをパターン受取変換装置が入力データに変換する入力データ作成方法であって、前記入力装置において利用者が指定したパターンを受け取る第１ステップと、指定されたパターンの符号化された文字、情報、または、データのいずれかを判断し特定する第２ステップと、前記特定された文字、情報、または、データのいずれかを通常の文字、情報、または、データのいずれかに変換する第３ステップとにより入力データを作成することを特徴とする。
【００２１】
請求項４に記載の入力データ作成装置は、利用者の要求により入力装置を作成し、前記入力装置において利用者が指定したパターンを入力データに変換する入力データ作成装置であって、少なくとも文字、情報、または、データのいずれかを利用者から受け取る入力項目指定部と、前記文字、情報、または、データのいずれかを符号化してパターンに割り当てる入力項目作成部と、利用者からパターンの配置の属性の指定を受け取る入力項目配置指定部と、前記属性に基づいてパターンの配置を作成する入力項目配置部と、前記パターンを配置した入力装置を作成する入力装置作成部と、前記入力装置において利用者が指定したパターンを受け取る入力項目読み込み受取部と、指定されたパターンの符号化された文字、情報、または、データのいずれかを判断し特定する入力項目読み込み部と、前記特定された文字、情報、または、データのいずれかを通常の文字、情報、または、データのいずれかに変換する入力項目変換部とからなることを特徴とする。
【００２２】
請求項５に記載のパターン受取変換装置は、入力装置において利用者が指定したパターンを入力データに変換するパターン受取変換装置であって、入力装置において利用者が指定したパターンを受け取る入力項目読み込み受取部と、指定されたパターンの符号化された文字、情報、または、データのいずれかを判断し特定する入力項目読み込み部と、前記特定された文字、情報、または、データのいずれかを通常の文字、情報、または、データのいずれかに変換する入力項目変換部とからなることを特徴とする。
【００２３】
請求項６に記載の情報機器は、前記請求項１〜３いずれかに記載の入力データ作成方法により入力データを作成することを特徴とする。
【００２４】
請求項７に記載の情報機器は、前記請求項４または５に記載の入力データ作成装置、または、パターン受取変換装置を内蔵することを特徴とする。
【００２５】
請求項８に記載のプログラムを記録した記録媒体は、前記請求項１〜７いずれかに記載の入力データ作成方法、入力データ作成装置、情報機器、または、パターン受取変換装置をコンピュータで実行可能に記載したプログラムを記録したことを特徴とする。
【００２６】
請求項１の発明においては、利用者は自らがカスタマイズした入力装置において、バーコードリーダ、デジタルカメラ、指の指定を赤外線センサで読み取る等の手段によりパターンを指定することができ、また、指定されたパターンは入力データ作成装置により入力データに変換され、この変換された入力データはパソコン、携帯端末、携帯電話等の情報機器に入力される。従って、利用者は従来のキーボード等と比べて容易に情報機器に対して入力操作を行うことができる。
【００２７】
請求項２の発明においては、利用者は自らがカスタマイズした入力装置において、バーコードリーダ、デジタルカメラ、指の指定を赤外線センサで読み取る等の手段によりパターンを指定することができ、また、指定されたパターンはパターン受取変換装置により入力データに変換され、この変換された入力データはパソコン、携帯端末、携帯電話等の情報機器に入力される。従って、利用者は従来のキーボード等と比べて容易に情報機器に対して入力操作を行うことができる。
【００２８】
なお、パターン作成装置はパターン受取変換装置に対して符号化に関する情報を入力してもよい。
【００２９】
請求項３の発明においては、利用者は入力装置(例えば、利用者が準備したもの、代表的なパターンを配置したもの等)において、バーコードリーダ、デジタルカメラ、指の指定を赤外線センサで読み取る等の手段によりパターンを指定することができ、また、指定されたパターンはパターン受取変換装置により入力データに変換され、この変換された入力データはパソコン、携帯端末、携帯電話等の情報機器に入力される。従って、利用者は従来のキーボード等と比べて容易に情報機器に対して入力操作を行うことができる。
【００３０】
請求項４の発明においては、利用者は自らがカスタマイズした入力装置において、バーコードリーダ、デジタルカメラ、指の指定を赤外線センサで読み取る等の手段によりパターンを指定することができ、また、指定されたパターンは入力データ作成装置により入力データに変換され、この変換された入力データはパソコン、携帯端末、携帯電話等の情報機器に入力される。従って、利用者は従来のキーボード等と比べて容易に情報機器に対して入力操作を行うことができる。
【００３１】
請求項５の発明においては、利用者は入力装置(例えば、利用者が準備したもの、代表的なパターンを配置したもの等)において、バーコードリーダ、デジタルカメラ、指の指定を赤外線センサで読み取る等の手段によりパターンを指定することができ、また、指定されたパターンはパターン受取変換装置により入力データに変換され、この変換された入力データはパソコン、携帯端末、携帯電話等の情報機器に入力される。従って、利用者は従来のキーボード等と比べて容易に情報機器に対して入力操作を行うことができる。
【００３２】
請求項６の発明においては、パソコン、携帯端末、携帯電話等の情報機器において前記請求項１〜３の発明に記載の機能を実現できる。
【００３３】
請求項７の発明においては、パソコン、携帯端末、携帯電話等の情報機器において前記請求項４または５の発明に記載の機能を実現できる。
【００３４】
請求項８の発明においては、前記請求項１〜７に記載の機能を有するプログラムの記録媒体を実現できる。
【００３５】
本発明は、前記課題１に対応する効果として、初心者等キーボードを扱うことが不慣れな人たちがキーボードをほとんど使うことなく、パソコン、携帯端末、携帯電話等の情報機器での文字・情報・データを入力する入力のための手段（装置）として、紙等に印刷したバーコード等のパターンをバーコードリーダやデジタルカメラ等の読み取り装置で読み取ったり、イメージ投射されたパターン群のうち、指等でパターンを指定し、赤外線センサの反射の強弱等で、投射されたパターン群中のパターンの位置を判別することによって、割り当てられた文字・情報・データを入力することにより、キーボード入力代替を可能にする（前者をぺ一ハーキーボード、後者を仮想キーボードと呼ぶことにする。）。
【００３６】
これにより、文字・情報・データを簡単に情報機器に入力することができ、操作性を高めることができる。
【００３７】
前記課題２に対応する効果として、任意の文字・情報・データを入力するために、そのぺ一パーキーボードや仮想キーボードには、任意の文字・情報・データをバーコード等や投射した仮想のキー等のパターンに割り当てて、入力のための手段（装置）を提供する。ぺ一パーキーボードや仮想キーボードの各バーコード等や仮想のキー等のパターンに任意の文字・情報・データを割り当てる入力項目は、パソコン、携帯端末、携帯電話等の情報機器に入力する文字・情報・データに応じて任意に設定可能である。
【００３８】
そのため、ぺ一パーキーボードや仮想キーボードの各バーコード等や仮想のキー等のパターンに任意の文字・情報・データを割り当てる入力項目を読取入力装置により読み取り、読み取ったパターンに対応した文字・情報・データを情報機器に入力することができる。
【００３９】
課題３に対応する効果として、ぺ一パーキーボードや仮想キーボードに形成する各パターンの配置を任意に設定する手段を提供する。それにより、文字・情報・データを割り当てた入力項目の配置を自由に設定する。
【００４０】
そのため、ぺ一パーキーボードや仮想キーボードにおける全パターンの配置（全バーコード等や投影した仮想のキー等のパターンの配置）も任意に設定可能であり、例えば、ひらがなに対応するパターンを５０音順に並べて配置してもよいし、通常のパーソナルコンピュータ等に用いられるキーボードと同様の配列で、ローマ字及びかな文字等に対応するパターンを配置してもよい。
【００４１】
課題４に対応する効果として、入力のための手段（装置）を、紙等に印刷したバーコード等のパターンによるぺ一パーキーボードやパターンのイメージ投射により仮想キーボードで実現し、その入力のための手段（装置）を読取入力装置で読み取る。
【００４２】
ぺ一パーキーボード、仮想キーボード、読取入力装置は、小型のもので実現可能であるから、持ち運ぶことができ、携帯性にも優れている。また、このぺ一パーキーボードは、複数の情報機器に適用したり、使い分けたりすることができる。
【発明の効果】
【００４３】
以上、説明したように、本発明によれば、キーボード等の操作に不慣れな人が、労力、ミスを少なく文字・情報・データを情報機器等に入力することができ、操作性に優れているという効果がある。
【００４４】
また、パターンに任意の文字・情報・データを割り当てることにより、利用者が入力できる文字・情報・データをカスタマイズすることができ、そのパターンの配置を任意に設定することにより、パターンの配置をカスタマイズすることができ、柔軟性、拡張性に優れているという効果がある。
【００４５】
さらに、入力のための装置を紙等の形態で実現でき、そのため、プリンタで印刷することにより、誰でも手軽に作成でき、小型で計量を実現できるので、携帯性に優れている。また、入力のための装置をイメージの投射の形態で実現でき、そのため、小型化、軽量化を実現できるので、携帯性に優れているという効果がある。
【発明を実施するための最良の形態】
【００４６】
本発明の実施の形態の例を図面を用いて具体的に説明する。なお、図面において、同一機能を有するものは同一符号を付して、その繰り返しの説明は省略する。
【００４７】
図１は、本発明の実施の形態における入力データ作成装置の一例を示すブロック図である。図１において、１は制御部、２は利用者から各パターンに割り当てる任意の文字・情報・データを受け取る入力項目指定部、３は各パターンに任意の文字・情報・データを符号化して割り当てる入力項目作成部、４は利用者から各パターンの配置の属性の指定を受け取る入力項目配置指定部、５は各パターンの配置を作成する入力項目配置部、６はパターンを配置した入力のための装置を作成する入力装置作成部、７は利用者から指定されたパターンを受け取る入力項目読み込み受取部、８は指定されたパターンの符号化した文字・情報・データを判断し、特定する入力項目読み込み部、９は特定した符号化された文字・情報・データを通常の文字・情報・データに変換する入力項目変換部である。
【００４８】
なお、入力のための装置の作成と文字・情報・データの入力は別の装置で実現する形態でも構わない。また、入力のための装置は、（必要な時に）各利用者が自分で作成してもよいし、各利用者が自分で作成するのではなく、代表的なパターンの配置をしたものを準備しておき、それを利用するのでもよい。また、複数の入力のための装置を利用する等、各利用者が複数の入力のための装置を必要に応じて適宜使い分けてもよい。
【００４９】
図２は、入力のための装置を作成し、文字・情報・データを入力する動作の基本処理アルゴリズムの一例を示すフロー図である。本実施の形態の例における動作を、図２を用いて説明する。なお、図２の（Ｓ１〜Ｓ９）は各ステップを示す。
【００５０】
まず、入力項目指定部２は、利用者が指定する、パターンに割り当てたい任意の文字・情報・データを利用者から受け取る（Ｓ１）。
【００５１】
入力項目作成部３は、入力項目指定部２からパターンに割り当てたい任意の文字・情報・データを受け取り、その文字・情報・データを符号化等してパターンに割り当て作成する（Ｓ２）。
【００５２】
また、必要に応じて、利用者が、符号化方法等を選択できるようにしてもよい。なお、選択がない時は、デフォルトの設定とする。さらに、符号化等せずに、文字・情報・データをそのままパターンに割り当て作成することも可能である。
【００５３】
入力項目配置指定部４は、入力項目作成部３が作成したパターンを受け取り、また、利用者が指定するパターンの位置、大きさ等のパターン配置の属性を利用者から受け取る（Ｓ３）。
【００５４】
なお、パターンの配置の属性の指定は、パターンの作成の指定と同じタイミングで指定してもよいし、別のタイミングで指定してもよい。
【００５５】
また、利用者は、一部の属性だけを指定して、残りの属性は情報装置の自動設定とするように指定したり、全部の属性を情報装置の自動設定とするように指定することも可能である。利用者からのパターンの配置の属性の指定がない時は、デフォルトの設定の指定とする。
【００５６】
入力項目配置部５は、入力項目配置指定部４からパターンとパターン配置の属性とを受け取り、そのパターンの配置を行う（Ｓ４）。
【００５７】
なお、利用者からの指定がある間はＳ１〜Ｓ４を繰り返す(Ｓ５)。
【００５８】
入力装置作成部６は、入力項目配置部５から１つあるいは複数のパターンの配置を受け取って、これを保持しておき、利用者からの指示により、保持しておいた内容に基づき、１つまたは複数のパターンを配置した入力のための装置を作成する（Ｓ６）。
【００５９】
入力項目読み込み受取部７は、入力装置作成部６で作成した入力のための装置と入力のための装置中で指定されたパターンを受け取る読取入力装置とを用いて利用者が指定するパターンを利用者から受け取る（Ｓ７）。
【００６０】
入力項目読み込み部８は、入力項目読み込み受取部７から指定されたパターンを受け取り、符号化等した文字・情報・データを判断し、特定する（Ｓ８）。
【００６１】
入力項目変換部９は、入力項目読み込み部８が特定した符号化等された文字・情報・データを受け取り、通常の文字・情報・データに変換する（Ｓ９）。
【００６２】
上記の動作及び各部の制御は制御部１が行うことができる。また、利用者は、Ｓ７を繰り返し行うことにより、情報機器に入力したい文章等のデータを入力することができる。入力データ作成装置により得た利用者からの文字・情報・データの入力を情報機器が受け取ることで、入力が完了する。
【００６３】
なお、入力データ作成装置を情報機器に内蔵すること、または、入力データ作成装置を単独の装置として構成して情報機器に取り付けることが可能である。
【００６４】
図３は、入力項目作成部３で、任意の文字・情報・データを受け取り、その文字・情報・データを符号化等してパターンに割り当て作成する動作の基本処理アルゴリズムの一例を示すフロー図である。なお、図３の（Ｓ２１〜Ｓ２４）は各ステップを示す。
【００６５】
まず、入力項目指定部２からパターンに割り当てたい任意の文字・情報・データを受け取る（Ｓ２１）。
【００６６】
情報機器がその文字・情報・データを符号化等する方法（アルゴリズム）を設定する、または、必要に応じて、利用者が、その文字・情報・データを符号化等する方法（アルゴリズム）を選択する（Ｓ２２）。
【００６７】
設定された文字・情報・データを符号化等する方法（アルゴリズム）により、その文字・情報・データの符号化等の実施をする（Ｓ２３）。
【００６８】
符号化等した文字・情報・データを入力項目としてパターンに割り当て作成する（Ｓ２４）。
【００６９】
ここで、利用者が指定した任意の文字・情報・データを符号化等したパターンを利用者が指定した属性で配置して作成した入力のための装置の例を図面を用いて説明する。図４〜７は、利用者が指定した任意の文字・情報・データを符号化等したパターンを利用者が指定した属性で配置して作成した入力のための装置を説明するための図である。
【００７０】
図４ば、アルファベットをパターンとし、左上から順に配置した入力のための装置の例である。
【００７１】
図５は、一桁の数字とアルファベットをパターンとし、キーボード上での代表的なキーの配置を模して配置した入力のための装置の例である。
【００７２】
図６は、「あ」から「ん」までのひらがなをパターンとし、５０音表を模して配置した入力のための装置の例である。
【００７３】
図７は、「ア」から「ン」までのカタカナをパターンとし、左上から配置した入力のための装置の例である。
【００７４】
前記図４〜７に記載の入力のための装置では、パターンは任意の文字・情報・データを二次元バーコード化して符号化したものである。なお、各パターンを作成するための、バーコードの種類、大きさ、各パターンの位置、各パターンを示す文字の位置、大きさ、フォント等は、任意に設定可能である。
【００７５】
ここで、入力のための装置の形態の例を説明する。図８（ａ）、（ｂ）は、同じパターンを入力のための装置に配置して作成した入力のための装置の例である。
【００７６】
図８（ａ）は、入力のための装置を、紙一枚の形態で作成した入力のための装置の例である。また、図８（ｂ）は、入力のための装置を、本／ノートの形態を模して作成した入力のための装置の例である。なお、入力のための装置の大きさ、及び、材質、本／ノートタイプ、定期券タイプ等の入力のための装置の形態は、任意に設定可能である。
【００７７】
続いて、利用者が指定して符号化等してパターン化する任意の文字・情報・データの例を図面を用いて説明する。図９は、利用者が指定して符号化等してパターン化する任意の文字・情報・データの例を示す図である。図９では、それぞれ、電話番号、メールアドレス、Ｗｅｂのアドレスをバーコード化して符号化したパターンを示している。なお、符号化等してパターン化するのは、図４〜７のような文字・数字や、図９のような情報・データや、それらの組合せ等、任意に設定可能である。
【実施例１】
【００７８】
読取入力装置を用いて、入力のための装置から利用者が指定するパターンを情報機器が受け取る例を説明する。入力のための装置がバーコード化されて符号化されたパターンで構成されている場合は、読取入力装置としては、ペンタイプ等の任意のバーコードリーダや、携帯電話に付与されたもの等の任意のデジタルカメラ等を読取入力装置とすることが可能である。
【００７９】
なお、入力のための装置は、前記図２のＳ１〜Ｓ６の工程により得ることができ、または、利用者が別の手段により作成、準備することができる。前記図２のＳ１〜Ｓ６の工程により入力のための装置を得る場合には、入力項目指定部２と入力項目作成部３と入力項目配置指定部４と入力項目配置部５と入力装置作成部６とからなりＳ１〜Ｓ６の工程を行うパターン作成装置を情報機器に内蔵させること、単独の装置としてパターン作成装置を構成すること、または、パターン作成装置を読取装置に内蔵させること等が可能である。
【００８０】
バーコード化されて符号化されたパターンの読み込みは、読取入力装置をパソコン、携帯端末、携帯電話等の情報機器と接続して行う。この構成においては、入力項目読み込み受取部７と入力項目読み込み部８と入力項目変換部９とからなり前記図２のＳ７〜Ｓ９を行うパターン受取変換装置を情報機器に内蔵させること、単独の装置としてパターン受取変換装置を構成し読取入力装置と情報機器との間に介挿すること、または、パターン受取変換装置を読取入力装置に内蔵させること等が可能である。
【００８１】
また、読取入力装置をパソコン、携帯端末、携帯電話等の情報機器以外の機器に接続して、読取入力することも可能であり、適用できる。この場合にも、パターン受取変換装置を情報機器以外の機器に内蔵させること、単独の装置としてパターン受取変換装置を構成し読取入力装置と情報機器以外の機器との間に介挿すること、または、パターン受取変換装置を読取入力装置に内蔵させること等が可能である。
【００８２】
なお、前記パターン作成装置とパターン受取変換装置とを一体の装置として構成し、情報機器等に内蔵させること、単独の装置として構成すること、または、読取入力装置に内蔵させること等が可能である。
【００８３】
このような構成により、読取入力装置を用いて、利用者が入力したいパターンを指定することによりデータ入力の実施を行うことができる。
【実施例２】
【００８４】
入力のための装置を作成し、その作成した入力のための装置を用いて、情報機器等に文字・情報・データを入力する別の例を説明する。
【００８５】
まず、パターン群を、イメージ投射装置で配置し、作成した入力のための装置とその形態の例を説明する。図１０、１１は、パターン群を、イメージ投射装置で配置し、作成した入力のための装置とその形態を説明するための図である。
【００８６】
図１０は、「あ」から「ん」までのひらがなをパターンとし、５０音表を模して配置した入力のための装置であり、それをイメージ投射装置により投影した入力のための装置の例である。
【００８７】
図１１は、一桁の数字とアルファベットをパターンとし、キーボード上での代表的なキーの配置を模して配置した入力のための装置であり、それをイメージ投射装置により投影した入力のための装置の例である。なお、イメージ投射装置による、各パターンの大きさ、位置等の配置、各パターンを示す文字の位置、大きさ、フォント等は、任意に設定可能である。
【００８８】
なお、入力のための装置は、前記図２のＳ１〜Ｓ６の工程により得ることができ、または、利用者が別の手段により作成、準備することができる。前記図２のＳ１〜Ｓ６の工程により入力のための装置を得る場合には、入力項目指定部２と入力項目作成部３と入力項目配置指定部４と入力項目配置部５と入力装置作成部６とからなりＳ１〜Ｓ６の工程を行うパターン作成装置を情報機器に内蔵させること、単独の装置としてパターン作成装置を構成すること、または、パターン作成装置を読取装置に内蔵させること等が可能である。
【００８９】
パターンがパターンのイメージ投射で構成されている場合は、読取入力装置としては、赤外線レーザの出力と、指等でのパターンの指定を特定するその赤外線のセンサと等を読取入力装置とすることができる。これにより、赤外線センサの反射の強弱で利用者から指定されたパターンを特定することが可能になる。
【００９０】
この形態によれば、利用者が入力したいパターンを読取入力装置を用いて指定することによりデータの入力を実施できる。
【００９１】
パターンの読み込みは、読取入力装置をパソコン、携帯端末、携帯電話等の情報機器に接続して実施する。この場合、読取入力装置とイメージ投射装置を同一の装置で構成することも可能である。この構成においては、入力項目読み込み受取部７と入力項目読み込み部８と入力項目変換部９とからなり前記図２のＳ７〜Ｓ９を行うパターン受取変換装置を情報機器に内蔵させること、単独の装置としてパターン受取変換装置を構成し読取入力装置と情報機器との間に介挿すること、または、パターン受取変換装置を読取入力装置に内蔵させること等が可能である。
【００９２】
また、読取入力装置をパソコン、携帯端末、携帯電話等の情報機器以外の機器に接続して、読取入力することも可能であり、適用ができる。この場合にも、パターン受取変換装置を情報機器以外の機器に内蔵させること、単独の装置としてパターン受取変換装置を構成し読取入力装置と情報機器以外の機器との間に介挿すること、または、パターン受取変換装置を読取入力装置に内蔵させることが可能である。
【００９３】
なお、前記パターン作成装置とパターン受取変換装置とを一体の装置として構成して、情報機器等に内蔵させること、単独の装置として構成すること、または、読取入力装置に内蔵させること等が可能である。
【００９４】
このような構成により、読取入力装置を用いて、利用者が入力したいパターンを指定することによりデータ入力の実施を行うことができる。
【００９５】
なお、本発明においては、図１で示した入力データ作成装置の一部もしくは全部の機能を、情報機器を用いて実現することができること、または、図２、３で示した処理の段階を情報機器に実行させることができることは言うまでもなく、情報機器でその各部の機能を実現するためのプログラム、あるいは、情報機器にその処理の段階を実行させるためのプログラムを、その情報機器が読み取り可能な記憶媒体、例えば、ＦＤ、ＭＯ、ＲＯＭ、メモリカード、ＳＤ、ＤＶＤ、リムーバブルディスク等に記録して、保存したり、提供したり、配布したりすることが可能である。
【００９６】
以上、本発明を実施形態例で具体的に説明したが、本発明は、前記実施形態例に限定されるものではなく、その要旨を逸脱しない範囲において種々変更可能であることは言うまでもない。
【図面の簡単な説明】
【００９７】
【図１】入力データ作成装置の一例を示すブロック図。
【図２】動作の基本処理アルゴリズムの一例を示すフロー図。
【図３】動作の基本処理アルゴリズムの一例を示すフロー図。
【図４】アルファベットをパターンとし、左上から順に配置した入力のための装置の例を示す図。
【図５】一桁の数字とアルファベットをパターンとし、キーボード上での代表的なキーの配置を模して配置した入力のための装置の例を示す図。
【図６】「あ」から「ん」までのひらがなをパターンとし、５０音表を模して配置した入力のための装置の例を示す図。
【図７】「ア」から「ン」までのカタカナをパターンとし、左上から配置した入力のための装置の例を示す図。
【図８】同じパターンを入力のための装置に配置して作成した入力のための装置の例を示す図。
【図９】利用者が指定して符号化等してパターン化する任意の文字・情報・データの例を示す図。
【図１０】「あ」から「ん」までのひらがなをパターンとし、５０音表を模して配置した入力のための装置を示す図。
【図１１】一桁の数字とアルファベットをパターンとし、キーボード上での代表的なキーの配置を模して配置した入力のための装置を示す図。
【符号の説明】
【００９８】
１…制御部
２…入力項目指定部
３…入力項目作成部
４…入力項目配置指定部
５…入力項目配置部
６…入力装置作成部
７…入力項目読み込み受取部
８…入力項目読み込み部
９…入力項目変換部
【図１】
2005063014.tif 000003
【図２】
2005063014.tif 000004
【図３】
2005063014.tif 000005
【図４】
2005063014.tif 000006
【図５】
2005063014.tif 000007
【図６】
2005063014.tif 000008
【図７】
2005063014.tif 000009
【図８】
2005063014.tif 000010
【図９】
2005063014.tif 000011
【図１０】
2005063014.tif 000012
【図１１】
2005063014.tif 000013